(57)【要約】【課題】  少なくとも一つのシームを備えたバッグを単純で効率的な方法で製造する。【解決手段】  装置は、第１および第２の顎5、6から成る少なくとも１つのアセンブリ2を備えている。それらの顎5、6は、互いに接近・離隔する方向に移動可能である。搬送方向に移動しうる管状箔15が、バッグ21を形成するように前記第１および第２の顎5、6間を搬送方向に直交状にのびたシーム22を提供することになっている。前記第1の顎5は、搬送方向に直交状に第２の顎6の凹部10に接近・離隔するように移動可能であり突起9を備えている。凹部10内において、管状箔15の一部は、バッグ21の上に形成されたシーム22を備えた折曲端23に成形されうる。【選択図】  図１
2005306037.tif 000002
【特許請求の範囲】
【請求項１】
バッグを製造するための装置であって、第１および第２の顎から成る少なくとも１つのアセンブリを備えており、それらの顎は、互いに接近・離隔する方向に移動可能であり、搬送方向に移動しうる管状箔が、バッグを形成するように前記第１および第２の顎間を搬送方向に直交状にのびたシームを提供することになっており、前記第1の顎が搬送方向に直交状に移動しうる突起を備えている装置において、突起が、第２の顎の凹部に接近・離隔するように移動可能であり、熱供給手段が、突起の一端および／または凹部内にあり、これにより、シームが、凹部および突起間における管状箔の一部上に形成されることになっており、同時に、シームを備えた折曲端がバッグの上に形成されうることを特徴とする装置。
【請求項２】
請求項lの装置であって、凹部の形状が、突起の先端の丸い形と相補的であることを特徴とする装置。
【請求項３】
請求項１または２の装置であって、アセンブリが、第３および第４の顎を備えており、それらの顎は、互いに接近・離隔する方向に移動可能であり、それらの顎の間で、搬送方向に移動しうる管状箔が、搬送方向に直交状にのびたさらなるシームを提供することになっていることを特徴とする装置。
【請求項４】
請求項３の装置であって、第１および第2の顎が、第１の顎ペアを形成し、第3および第4の顎が、第２の顎ペアを形成しており、アセンブリが、管状箔を切り離すための、第１の顎ペアおよび第２の顎ペア間に配置された切断機構を備えていることを特徴とする装置。
【請求項５】
請求項４の装置であって、搬送方向から見て、切断機構の前方に配置されたクランプ装置を備えていることを特徴とする装置。
【請求項６】
請求項４または５の装置であって、切断機構並びに第１および第２の顎の間に位置させられた箔移送スペースを備えていることを特徴とする装置。
【請求項７】
請求項１〜６のいずれか１つの装置であって、アセンブリが、折曲端を押圧するための、凹部内を搬送方向と平行に移動しうる圧力手段を備えていることを特徴とする装置。
【請求項８】
請求項１〜７のいずれか１つに使用されるために適切なアセンブリ。
【請求項９】
管状箔からバッグを製造する方法であって、その箔は、少なくとも１つの第１および第２顎の間に導かれ、その後、搬送方向に直交状にのびたシームが、バッグを形成するように一緒に移動しうる顎によって箔の上に形成され、その後に、顎が離れるように移動させられ、顎が突起を備えている方法において、箔が、凹部内に搬送方向と直交状に突起によって移動させられ、シームが、熱の提供を通じて箔上に形成され、同時に、折曲端が、突起および凹部間の箔上に形成される方法。
【請求項１０】
請求項９の方法であって、圧力手段が、折曲端を押圧するために凹部内を搬送方向と平行に移動させられる方法。
【請求項１１】
請求項９または１０の方法であって、他のシームが、第3および第4の顎によって、前記シームおよび折曲端を形成する前に、管状箔の上に形成され、クランプ装置によってクランプされた管状箔が、切断装置によって切り離され、その後に、切り離されて、シームを備えた折曲端を形成するために必要である箔の一部が、箔移送スペース内に位置させられ、その後に、凹部に押圧されることを特徴とする方法。
【請求項１２】
請求項９〜１１のいずれか１つの方法を用いて製造されたバッグであって、端が、折り目にそって折曲げられ、シームがその折り目の近くに位置させられていることを特徴とするバッグ。
【請求項１３】
請求項１２のバッグであって、折曲端がバッグの壁に接しており、シームの両側のバッグの壁が離れるように移動しかつシームが破られた後に、端が壁に接する位置に向かって移動しようとすることを特徴とするバッグ。
【請求項１４】
請求項１３のバッグであって、端が、再封可能な接着ストリップによって、壁に接する位置に保持されることを特徴とするバッグ。
【発明の詳細な説明】
【技術分野】
【０００１】
本発明は、バッグを製造する装置であって、第１および第２の顎から成る少なくとも１つのアセンブリを備えており、それらの顎は、互いに接近・離隔する方向に移動可能であり、搬送方向に移動しうる管状箔が、バッグを形成するように前記第１および第２の顎間を搬送方向に直交状にのびたシームを提供することになっており、前記第1の顎が搬送方向に直交状に移動しうる突起を備えている装置に関する。
【０００２】
さらに、本発明は、そのようなアセンブリに関する。
【０００３】
本発明は、また、管状箔からバッグを製造する方法であって、その箔は、少なくとも１つの第１および第２顎の間に導かれ、その後、搬送方向に直交状にのびたシームが、バッグを形成するように一緒に移動しうる顎によって箔の上に形成され、その後に、顎が離れるように移動させられ、顎が突起を備えている方法に関する。
【０００４】
本発明は、また、発明の方法を使用して製造されたバックに関する。
【背景技術】
【０００５】
バッグを製造するこの種の装置および方法については、特許文献１から公知であるように、第2の顎は、枢支ピンの回りに回動可能である溶接顎と、これと同様に、固定顎を備えている。第２の顎に向かって箔を移動させるための搬送方向に直交して、第1の顎上の突起が固定顎および回動顎間の位置に移動しうる。固定顎および回動顎間に箔が位置させられた後に、突起は、第２の顎から遠ざかるように移動させられる。それに続いて、シームは、箔の上に回動顎内の熱供給手段によって回動顎を固定顎に向かって回動させることによって形成可能であり、このようにして、シームを備えた折曲端が得られる。
【０００６】
この周知の装置および方法の欠点は、シームを備えた折曲端を形成するために2つの別々のステップが必要であるということである。
【０００７】
特許文献２から、バッグを製造する装置が同様に公知である点に注目される。その装置において、第1のシームは、管状箔の上に、第１および第２の顎を移動させることによって形成される。それとともに、実質的に同時に、箔はバッグを形成するようにナイフで切り離され、ナイフおよびシーム間にある箔は、凹部内に突起によって移動させられうる。その突起において、一時的なシームは、熱ガスによって、箔の上に形成されうる。それが熱を与えるだけで形成されるので、シームは比較的弱い。比較的強いシームを形成するためには、熱に加えて一定時間圧力を与えることが必要である。
【０００８】
さらに、注意すべきは、特許文献３がつぎのような方法および装置を開示していることであり、それは、管状箔が搬送方向に顎の間に導かれ、その後、顎は管状箔に対して押圧されるために一緒に移動させられ、加熱および圧力を与えられることによって管状箔上にシームが形成される。箔は切り離され、それによって、管状箔の上に直立した端が形成され、それは、バッグの一端を形成する。上記の従来技術の欠点は、その装置により形成されたバッグは、直立した端を備えているという事実である。
【特許文献１】NL-8,006,200
【特許文献２】US-4,350,003
【特許文献３】欧州特許出願EP-Al-0 276 628
【発明の開示】
【発明が解決しようとする課題】
【０００９】
本発明の目的は、少なくとも一つのシームを備えたバッグが単純で効率的な方法で製造でき、同時に、バッグの端が直立した形状以外の形状を与えられる装置を提供することにある。
【課題を解決するための手段】
【００１０】
この目的は、発明による装置によって達成され、その装置は、突起が、第２の顎の凹部に接近・離隔するように移動可能であり、熱供給手段が、突起の一端および／または凹部内にあり、これにより、シームが、凹部および突起間における管状箔の一部上に形成されることになっており、同時に、シームを備えた折曲端がバッグの上に形成されうるものである。
【００１１】
本発明による装置を用いて、折曲端と同様にシームは、同時に得られる。所望の圧力は、比較的強いシームを形成するように箔に突起および凹部の壁間に突起によって作用させられうる。本書の文脈において、折曲端の用語は、シームと平行にのびる折り目にそって折曲げられた管状箔の端を意味すると理解される。したがって、本発明による装置を用いて、折り目の近くまたはシームの上に、シームを備えた折曲端を単純な方法で得ることが可能である。バッグ上にシームを備えた折曲端は、１つの動作によって形成されることができ、それは装置の効率を向上させる。
【００１２】
本発明による装置の他の実施例は、凹部の形状が、突起の先端の丸い形と相補的であることを特徴とするものである。
【００１３】
突起の端および凹部の双方の丸い形は、いかなる鋭い移行部もないので、箔がダメージの危険から実際に免れる。
【００１４】
本発明による装置の他の実施例は、アセンブリが、第３および第４の顎を備えており、それらの顎は、互いに接近・離隔する方向に移動可能であり、それらの顎の間で、搬送方向に移動しうる管状箔が、搬送方向に直交状にのびたさらなるシームを提供することになっていることを特徴とするものである。
【００１５】
前記のさらなるシームは、形成されるバッグの下のシームであり、折曲端のシームは、前記バッグの上のシームであってもよく、またはその逆でもよい。シールされたバッグは、下のシームおよび上のシームを形成することによって得られる、
本発明による装置のさらにもう一つの実施例は、第１および第2の顎が、第１の顎ペアを形成し、第3および第4の顎が、第２の顎ペアを形成しており、アセンブリが、管状箔を切り離すための、第１の顎ペアおよび第２の顎ペア間に配置された切断機構を備えていることを特徴とするものである。
【００１６】
このような方法において、バッグを形成するシームを備えた管状箔の一部は、単純な方法で、管状箔から切断装置によって切り離される。
【００１７】
本発明による装置の他の実施例は、搬送方向から見て、切断機構の前方に配置されたクランプ装置を備えていることを特徴とするものである。
【００１８】
クランプ装置は、管状箔をクランプし、切断機構によって切り離されるた箔のためのサポートを提供し、続いて、例えば、折曲端を提供する。
【００１９】
本発明による装置のさらにもう一つの実施例は、切断機構並びに第１および第２の顎の間に位置させられた箔移送スペースを備えていることを特徴とするものである。
【００２０】
管状箔が切り離された後、切断機構の前をのびた箔の一部は、搬送方向に見て、箔移送スペースにある。バッグの前記部分は、シームを備えた折曲端を形成するために突起によって凹部に少なくとも部分的に押圧される。前記部分は、このことにより切断機構から遠ざけられる。
【００２１】
本発明による装置のさらにもう一つの実施例は、アセンブリが、折曲端を押圧するための、凹部内を搬送方向と平行に移動しうる圧力手段を備えていることを特徴とするものである。このような方法において、折り目の両側に位置させられた箔の一部は、一緒に押圧され、それはバッグに滑らかな外観を与える。
【００２２】
本発明は、さらに、装置に装備されたアセンブリの特徴を有するアセンブリを提供する。
【００２３】
前記アセンブリの利点は、バッグを製造するための従来の装置において、そこで使用される顎を交換することを可能とすることである。
【００２４】
本発明の別の目的は、単純で効率的な方法で、管状箔から少なくとも一つのシームを有するバッグを得る方法を提供することにあり、バッグの端は、直立した形状以外の形状を与えられる。
【００２５】
この目的は、本発明による方法により達成され、それは、箔が、凹部内に搬送方向と直交状に突起によって移動させられ、シームが、熱の提供を通じて箔上に形成され、同時に、折曲端が、突起および凹部間の箔上に形成されるものである。
【００２６】
シームをこの単純な方法で管状箔の上に形成することによって、折曲端は、同時に、第2の顎の凹部において、第1の顎の突起によって形成される。
【００２７】
本発明による方法の有利な実施例は、圧力手段が、折曲端を押圧するために凹部内を搬送方向と平行に移動させられることを特徴とするものである。
【００２８】
端の滑らかな外観は、折り目の両側にある折曲端の2つの部分を押圧することによって得られる。
【００２９】
本発明による方法の他の有利な実施例は、他のシームが、第3および第4の顎によって、前記シームおよび折曲端を形成する前に、管状箔の上に形成され、クランプ装置によってクランプされた管状箔が、切断装置によって切り離され、その後に、切り離されて、シームを備えた折曲端を形成するために必要である箔の一部が、箔移送スペース内に位置させられ、その後に、凹部に押圧されることを特徴とするものである。
【００３０】
このような方法において、シームを備えた折曲端は、単純で効率的な方法でバッグ上に形成される。
【００３１】
本発明の別の目的は、シームを備えた端を有するバッグを提供することにあり、その端は、直立した形状以外の形状を有する。
【００３２】
この目的は、本発明によるバッグにより達成され、その端は、折り目にそって折曲げられ、シームがその折り目の近くに位置させられている。
【００３３】
シームと同時に形成される折曲端は、本発明によるバッグに異なる外観をもたらせる。
【００３４】
本発明によるバッグの一実施例は、折曲端がバッグの壁に接しており、シームの両側のバッグの壁が離れるように移動しかつシームが破られた後に、端が壁に接する位置に向かって移動しようとすることを特徴とするものである。
【００３５】
。
【００３６】
この方法で形成された折曲端は、シームが開封され後に、再封を可能とする。端は、壁に対して接する位置に戻ろうとし、バッグの内容物は折り目の近くでシールされる。
【００３７】
本発明によるバッグの他の実施例は、端が、再封可能な接着ストリップによって、壁に接する位置に保持されることを特徴とするものである。
【００３８】
このような方法において、バッグは不用意に開かれるのを防止され、バッグは数回開閉されうる。
【発明を実施するための最良の形態】
【００３９】
本発明は、今や、図面に関して更に詳細に説明される。
【００４０】
図１−７は、本発明による方法の様々に異なる局面における本発明による装置の横断面図である。
【００４１】
図８は、本発明によるバッグの実施例の斜視図である。
【００４２】
図９は、図８のバッグの折曲端のよりラージスケールの斜視図である。
【００４３】
図１−７に示される装置1は、アセンブリ2を備えている。アセンブリ2は、2つのパーツ3、4から成る。そして、それは、矢印P1で示す方向およびその反対方向に、互いに相対的に移動可能である。第１のパーツ3は、第１の顎5を備えており、それは、第２のパーツ4上に存在する第2の顎6と協同し、これらの顎5、6は、第１の顎ペアを形成している。さらに、第１のパーツ3は、第３の顎7を備えており、それは、第２のパーツ4上に存在する第4の顎8と協同し、これらの顎7、8は、第２の顎ペアを形成している。
【００４４】
第２のパーツ4上に存在する第2および第４の顎6、8は、剛的に互いに連結されている。
【００４５】
第1の顎5は、突起9を備えており、それは、顎5とともに、第１のパーツ3に関して、矢印P2で示される方向およびその反対方向へ第2の顎6の方に向かって移動可能であり、そして、第2の顎6には、突起9を受け入れる凹部10が備えられている。
【００４６】
アセンブリ2は、さらに、クランプ装置を備えており、それは、第1のパーツ3上に突起11と、第２パーツ4上に座面12とを備えている。アセンブリ2は、さらに、切断機構を備えており、それは、第１のパーツ3上にナイフ13と、第２のパーツ4上に溝14とを備えている。ナイフ13は、矢印P3で示される方向およびその反対方向に移動可能であり、溝14に出入りしうる。
【００４７】
装置1は、さらに、箔搬送機構（図示しない）を備えており、それは矢印P4で示される方向に、パーツ3、4間に管状箔15を導く。
【００４８】
搬送方向P4から見て、顎5、6の第１のペアは、顎7、8の第２のペアの前方に配置されている。顎5、6の第１のペアと、顎7、8の第２ペアの間には切断機構が配置されている。搬送方向P4から見て、顎5、6の第１のペアの前方に、クランプ装置が配置されている。切断機構および顎5、6の第１のペアの間に、箔移送スペース16が配置されている。
【００４９】
そして、本発明による装置1および方法の動作は、いま、図１−７を参照して説明される。
【００５０】
装置lにおいて、管状箔15は、矢印P4（図１）で示される方向に可動パーツ3、4の間で搬送される。
【００５１】
それから、第3の顎7および第4の顎8が管状箔15に対して押圧されるまで、第1のパーツ3および第２のパーツ4は、矢印P1、P1 'で示される方向に一緒に移動させられる。箔は、顎7、8に装備された熱供給手段によって、局所的に加熱され、管状箔15の搬送方向P4に直交状にシーム20を形成する。同時に、管状箔15は、突起11およびクランプ装置（図２）の座面12の間で締付られる。
【００５２】
加熱および圧力によって管状箔15の上にシーム20が形成された後、ナイフ13が矢印P3で示される方向に溝14内に移動させられ、搬送方向P4から見て（図３）、シーム20の前方で管状箔15を切断する。
【００５３】
それから、ナイフ13は、図1（図４）に示される開始位置に戻される。切断機構の前方に位置する管状箔15の部分は、搬送方向P4から見て、バッグ21を形成する。箔移送スペース16に存在して形成されるバッグ21の部分26については、バッグ21は、クランプ装置によって締付られる。
【００５４】
前の動作において、バッグ21の管状箔15は、上記と同様に、シーム20が提供され、そのシームは、第１および第２の顎5、6の間で、予め定められた距離に位置させられる。
【００５５】
第1の顎5上の突起9は、今や、第2の顎6の凹部10の方へ矢印P2で示される方向に移動させられ、箔移送スペース16に存在するバッグ21の箔の部分26は、突起9によって凹部10に押圧され、矢印P4で示される方向に移動させられる。今や、パーツ4の部分27に存在する箔は無い。
【００５６】
シーム22を備えた折曲端23は、今や、突起9および凹部10内にある熱供給手段によって、凹部10に存在する箔に形成される（図４）。
【００５７】
シーム22が形成された後に、突起10は、図1（図５）に示される開始位置に矢印P2の反対方向に移動させられる。
【００５８】
圧力手段25は、凹部10の反対側に配置されており、その圧力手段は、凹部10の外側の位置から凹部10内部の位置に、矢印P5で示される方向に移動可能である。圧力手段25は、シーム22を備えた端23を押圧する（図６）。
【００５９】
その後に、パーツ3、4は、図1（図７）に示される位置から離れて移動させられる。
【００６０】
シーム20および折曲端を備えたバッグ21は、今や、解放される（図７）。
【００６１】
上記の装置1は、さらに、ローラー（図示せず）を備えており、それにそって、そして、折曲端23が形成された後に、バッグ21は導かれる。ローラーは、図７に示される位置から図８に示す位置に、折曲端23を折曲げる。
【００６２】
図８は、本発明によるバッグ21を示しており、そのバッグ21は、下のシーム20と同様に、管状箔9と、本発明によって形成された折曲端23とを備えている。バッグ21は、さらに、折り目28、29を備えており、それは、バッグ21を形成すると同時に、当然公知である手段を用いて箔15に形成されたものである。折曲端23は、図９に、ラージスケールで示されている。
【００６３】
バッグ21の折曲端23は、加えて、接着ストリップ（図示せず）を備えていてもよく、それによって、端23の折曲部分30は、端23の他の部分31に接着されうる。
【００６４】
シーム22は、端23の折曲部分30をたたみ込むことによって、正しい方法で開かれうる。その後、シーム22は、管状箔の壁を引き離すことによって、開かれる。バッグ21は、図８および9に示される折曲位置に部分30を戻すことによって、再封止されうる。開かれたシーム22の近くに位置する折り目は、その場合バッグ21を封止する。部分30の
前記折曲げは、熱を受けた端23の材料特性によって、部分的に遂行される。
【００６５】
上記の通りの装置1は、例えば、包装機械であり、そこにおいて、包装される製品は、
底のシームとして、第1のシーム20が形成された後に、バッグ21にされる。製品が形成されるバッグに供給された後に、箔は搬送方向P4に移動させられ、形成されるバッグは上記の通りの方法で、上のシームとして、シーム22が提供される。
【００６６】
突起9および凹部10は、横断面から見て、丸い形をしており、それは、熱供給手段によって発生させられた熱の十分な伝導を確実にするためである。しかしながら、凹部および突起のための異なる形状を使用することは、また、可能である。加えて、突起9および／または凹部10に2つの熱供給手段を提供することも、可能であり、その場合、2本のシームが折曲端において、形成される。
【００６７】
あるいは、装置1は、クランプ装置および箔移送スペースを備えて無くてもよい。この種の装置が用いられるときに、シーム22を備えた端23は最初に形成され、凹部に押圧される箔は、いわば、形成されるバッグ21を持ち上げることによって、底面から供給される。端23が形成された後に、箔はナイフ13によって切られるだけである。この種の実施例の欠点は、しかしながら、部分的に持ち上げられる箔の重量が箔に存在する製品に依存するということであり、その結果、製品が変更がされるときに、前記重量は一定でない。
【図面の簡単な説明】
【００６８】
【図１】本発明による装置の横断面図である。
【図２】図１とは異なる局面における本発明による装置の横断面図である。
【図３】図１とはさらに異なる局面における本発明による装置の横断面図である。
【図４】図１とはさらに異なる局面における本発明による装置の横断面図である。
【図５】図１とはさらに異なる局面における本発明による装置の横断面図である。
【図６】図１とはさらに異なる局面における本発明による装置の横断面図である。
【図７】図１とはさらに異なる局面における本発明による装置の横断面図である。
【図８】本発明によるバッグの実施例の斜視図である。
【図９】図８のバッグの折曲端のよりラージスケールの斜視図である。
【符号の説明】
【００６９】
２  アセンブリ
5、6  顎
９  突起
10  凹部
15  箔
21  バッグ
22  シーム
23  折曲端
【図１】
2005306037.tif 000003
【図２】
2005306037.tif 000004
【図３】
2005306037.tif 000005
【図４】
2005306037.tif 000006
【図５】
2005306037.tif 000007
【図６】
2005306037.tif 000008
【図７】
2005306037.tif 000009
【図８】
2005306037.tif 000010
【図９】
2005306037.tif 000011